(57)【特許請求の範囲】
【請求項１】
情報伝達媒体を格納する格納装置側に設けられた非接触無線タグ読取装置と、該非接触無線タグ読取装置と通信可能な非接触情報記憶媒体を有する携帯情報端末と、該携帯情報端末が前記非接触無線タグ読取装置にかざされることにより通信して得た前記非接触無線タグ読取装置の識別情報を含む伝達情報に基づいて通信する中継局と、該中継局とネットワークを介して接続される情報提供のための複数のウェブサイトと、を備えると共に、前記中継局が、前記複数のウェブサイトの所在情報と前記非接触無線タグ読取装置の識別情報とを対応させて格納する記憶手段と、前記携帯情報端末と通信するための通信手段と、前記携帯情報端末と通信することによって得た前記伝達情報に基づいて、当該携帯情報端末をかざした前記非接触無線タグ読取装置が設けられた前記格納装置における前記情報伝達媒体の内容に対応するウェブサイトを、前記複数のウェブサイトの中から検索する検索手段とを有する情報提供管理システムにおける
前記携帯情報端末が前記伝達情報に基づいて前記中継局と通信する通信工程と、該中継局が前記伝達情報に含まれる前記識別情報に基づき、前記検索手段によって前記対応するウェブサイトを検索する検索工程と、前記中継局が当該検索したウェブサイトへ前記携帯情報端末をアクセスさせるアクセス工程とをする情報提供管理方法であって、
前記格納装置における前記情報伝達媒体の内容が変更されて、前記記憶手段に格納される前記所在情報と前記識別情報とを更新する場合の工程として、
前記携帯情報端末が、更新作業者によって前記非接触無線タグ読取装置にかざされることにより前記非接触無線タグ読取装置と通信して前記識別情報を得る識別情報取得工程と、
前記携帯情報端末が、更新作業者によって操作されることにより、前記変更された情報伝達媒体に予め設けられ、当該情報伝達媒体の内容に対応するウェブサイトの所在情報を表す所定のコードを、当該携帯情報端末に設けられた撮影手段によって撮影する所在情報取得工程と、
前記携帯情報端末が、当該撮影した前記所定のコードの画像と、前記非接触無線タグ読取装置の識別情報とを含む更新情報を、前記中継局へ送信する情報送信工程と、
前記中継局が、前記更新情報に含まれるコード画像に基づいて、前記所定のコードを前記変更された情報伝達媒体に対応するウェブサイトの所在情報へ変換する中継局側コード変換工程と、
前記中継局が、変換した当該ウェブサイトの所在情報と、前記更新情報に含まれる前記非接触無線タグ読取装置の識別情報とに基づいて、前記記憶手段に格納された前記非接触無線タグ読取装置の識別情報に対応するウェブサイトの所在情報を、当該変更された情報伝達媒体の内容に対応するウェブサイトの所在情報へ更新する所在情報更新工程と
を有することを特徴とする情報提供管理方法。
【請求項２】
情報伝達媒体を格納する格納装置側に設けられた非接触無線タグ読取装置と、該非接触無線タグ読取装置と通信可能な非接触情報記憶媒体を有する携帯情報端末と、該携帯情報端末が前記非接触無線タグ読取装置にかざされることにより通信して得た前記非接触無線タグ読取装置の識別情報を含む伝達情報に基づいて通信する中継局と、該中継局とネットワークを介して接続される情報提供のための複数のウェブサイトと、を備えると共に、前記中継局が、前記複数のウェブサイトの所在情報と前記非接触無線タグ読取装置の識別情報とを対応させて格納する記憶手段と、前記携帯情報端末と通信するための通信手段と、前記携帯情報端末と通信することによって得た前記伝達情報に基づいて、当該携帯情報端末をかざした前記非接触無線タグ読取装置が設けられた前記格納装置における前記情報伝達媒体の内容に対応するウェブサイトを、前記複数のウェブサイトの中から検索する検索手段とを有する情報提供管理システムにおける
前記携帯情報端末が前記伝達情報に基づいて前記中継局と通信する通信工程と、該中継局が前記伝達情報に含まれる前記識別情報に基づき、前記検索手段によって前記対応するウェブサイトを検索する検索工程と、前記中継局が当該検索したウェブサイトへ前記携帯情報端末をアクセスさせるアクセス工程とを有する情報提供管理方法であって、
前記格納装置における前記情報伝達媒体の内容が変更されて、前記記憶手段に格納される前記所在情報と前記識別情報とを更新する場合の工程として、
前記携帯情報端末が、更新作業者によって前記非接触無線タグ読取装置にかざされることにより前記非接触無線タグ読取装置と通信して前記識別情報を得る識別情報取得工程と、
前記携帯情報端末が、更新作業者に操作されることによって、前記変更された情報伝達媒体に予め設けられ、当該情報伝達媒体の内容に対応するウェブサイトの所在情報を表す所定のコードを、当該携帯情報端末に設けられた撮影手段によって撮影する所在情報取得工程と、
前記携帯情報端末が、撮影した前記所定のコードの画像を、当該携帯情報端末のアプリケーションプログラムを用いて前記変更された情報伝達媒体に対応するウェブサイトの所在情報へ変換する携帯側コード変換工程と、
前記携帯情報端末が、前記変換したウェブサイトの所在情報と、前記非接触無線タグ読取装置の識別情報とを含む更新情報を、前記中継局へ送信する情報送信工程と、
前記中継局が、前記携帯情報端末から送信された更新情報に基づいて、前記記憶手段に格納された前記非接触無線タグ読取装置の識別情報に対応するウェブサイトの所在情報を、当該変更された情報伝達媒体の内容に対応するウェブサイトの所在情報へ更新する所在情報更新工程と
を有することを特徴とする情報提供管理方法。
【請求項３】
情報伝達媒体を格納する格納装置側に設けられた固定側無線タグと、該固定側無線タグと通信可能な端末側非接触無線タグ読取装置を有する携帯情報端末と、該携帯情報端末が前記固定側無線タグと通信することにより得た前記固定側無線タグの識別情報を含む伝達情報に基づいて通信する中継局と、該中継局とネットワークを介して接続される情報提供のための複数のウェブサイトと、を備えると共に、前記中継局が、前記複数のウェブサイトの所在情報と前記固定側無線タグの識別情報とを対応させて格納する記憶手段と、前記携帯情報端末と通信するための通信手段と、前記携帯情報端末と通信することによって得た前記伝達情報に基づいて、当該携帯情報端末と通信した前記固定側無線タグが設けられた前記格納装置における前記情報伝達媒体の内容に対応するウェブサイトを、前記複数のウェブサイトの中から検索する検索手段とを有する情報提供管理システムにおける
前記携帯情報端末が前記伝達情報に基づいて前記中継局と通信する通信工程と、該中継局が前記伝達情報に含まれる前記識別情報に基づき、前記検索手段によって前記対応するウェブサイトを検索する検索工程と、前記中継局が当該検索したウェブサイトへ前記携帯情報端末をアクセスさせるアクセス工程とを有する情報提供管理方法であって、
前記格納装置における前記情報伝達媒体の内容が変更されて、前記記憶手段に格納される前記所在情報と前記識別情報とを更新する場合の工程として、
前記携帯情報端末が、更新作業者に操作されることによって、前記固定側無線タグと通信して前記識別情報を得る識別情報取得工程と、
前記携帯情報端末が、更新作業者に操作されることによって、前記変更された情報伝達媒体に予め設けられ、当該情報伝達媒体の内容に対応するウェブサイトの所在情報を表す所定のコードを、当該携帯情報端末に設けられた撮影手段によって撮影する所在情報取得工程と、
前記携帯情報端末が、当該撮影した前記所定のコードの画像と、前記固定側無線タグの識別情報とを含む更新情報を、前記中継局へ送信する情報送信工程と、
前記中継局が、前記更新情報に含まれるコード画像に基づいて、前記変更された情報伝達媒体に対応するウェブサイトの所在情報へ変換する中継局側コード変換工程と、
前記中継局が、変換した当該ウェブサイトの所在情報と、前記更新情報に含まれる前記固定側無線タグの識別情報とに基づいて、前記記憶手段に格納された前記固定側無線タグの識別情報に対応するウェブサイトの所在情報を、当該変更された情報伝達媒体の内容に対応するウェブサイトの所在情報へ更新する所在情報更新工程と
を有することを特徴とする情報提供管理方法。
【請求項４】
情報伝達媒体を格納する格納装置側に設けられた固定側無線タグと、該固定側無線タグと通信可能な端末側非接触無線タグ読取装置を有する携帯情報端末と、該携帯情報端末が前記固定側無線タグと通信することにより得た前記固定側無線タグの識別情報を含む伝達情報に基づいて通信する中継局と、該中継局とネットワークを介して接続される情報提供のための複数のウェブサイトと、を備えると共に、前記中継局が、前記複数のウェブサイトの所在情報と前記固定側無線タグの識別情報とを対応させて格納する記憶手段と、前記携帯情報端末と通信するための通信手段と、前記携帯情報端末と通信することによって得た前記伝達情報に基づいて、当該携帯情報端末と通信した前記固定側無線タグが設けられた前記格納装置における前記情報伝達媒体の内容に対応するウェブサイトを、前記複数のウェブサイトの中から検索する検索手段とを有する情報提供管理システムにおける
前記携帯情報端末が前記伝達情報に基づいて前記中継局と通信する通信工程と、該中継局が前記伝達情報に含まれる前記識別情報に基づき、前記検索手段によって前記対応するウェブサイトを検索する検索工程と、前記中継局が当該検索したウェブサイトへ前記携帯情報端末をアクセスさせるアクセス工程とを有する情報提供管理方法であって、
前記格納装置における前記情報伝達媒体の内容が変更されて、前記記憶手段に格納される前記所在情報と前記識別情報とを更新する場合の工程として、
前記携帯情報端末が、更新作業者に操作されることによって、前記固定側無線タグと通信して前記識別情報を得る識別情報取得工程と、
前記携帯情報端末が、更新作業者に操作されることによって、前記変更された情報伝達媒体に予め設けられ、当該情報伝達媒体の内容に対応するウェブサイトの所在情報を表す所定のコードを、当該携帯情報端末に設けられた撮影手段によって撮影する所在情報取得工程と、
前記携帯情報端末が、撮影した前記所定のコードの画像を、当該携帯情報端末のアプリケーションプログラムを用いて前記変更された情報伝達媒体に対応するウェブサイトの所在情報へ変換する携帯側コード変換工程と、
前記携帯情報端末が、前記変換したウェブサイトの所在情報と、前記固定側無線タグの識別情報とを含む更新情報を、前記中継局へ送信する情報送信工程と、
前記中継局が、前記携帯情報端末から送信された更新情報に基づいて、前記記憶手段に格納された前記固定側無線タグの識別情報に対応するウェブサイトの所在情報を、当該変更された情報伝達媒体の内容に対応するウェブサイトの所在情報へ更新する所在情報更新工程と
を有することを特徴とする情報提供管理方法。
【請求項５】
前記情報送信工程は、前記更新情報を電子メール形式で送信する
ことを特徴とする請求項１乃至４のいずれか１項に記載の情報提供管理方法。
【請求項６】
前記情報伝達媒体に予め設けられる前記所定のコードは２次元コードで構成される
ことを特徴とする請求項１乃至５のいずれか１項に記載の情報提供管理方法。
【請求項７】
情報伝達媒体を格納する格納装置側に設けられた固定側無線タグと、該固定側無線タグと通信可能な端末側非接触無線タグ読取装置を有する携帯情報端末と、該携帯情報端末が前記固定側無線タグと通信することにより得た前記固定側無線タグの識別情報を含む伝達情報に基づいて通信する中継局と、該中継局とネットワークを介して接続される情報提供のための複数のウェブサイトと、を備えると共に、前記中継局が、前記複数のウェブサイトの所在情報と前記固定側無線タグの識別情報とを対応させて格納する記憶手段と、前記携帯情報端末と通信するための通信手段と、前記携帯情報端末と通信することによって得た前記伝達情報に基づいて、当該携帯情報端末が通信した前記固定側無線タグを有する前記格納装置に格納される前記情報伝達媒体の内容に対応するウェブサイトを、前記複数のウェブサイトの中から検索する検索手段とを有する情報提供管理システムにおける
前記携帯情報端末が前記伝達情報に基づいて前記中継局と通信する通信工程と、該中継局が前記伝達情報に含まれる前記識別情報に基づき、前記検索手段によって前記対応するウェブサイトを検索する検索工程と、前記中継局が当該検索したウェブサイトへ前記携帯情報端末をアクセスさせるアクセス工程とを有する情報提供管理方法であって、
前記格納装置における前記情報伝達媒体の内容が変更されて、前記記憶手段に格納される前記所在情報と前記識別情報とを更新する場合の工程として、
前記携帯情報端末が、更新作業者に操作されることによって、前記固定側無線タグと通信して前記識別情報を得る識別情報取得工程と、
前記携帯情報端末が、更新作業者に操作されることによって、前記変更された情報伝達媒体に予め設けられる交換側無線タグに予め格納された、当該情報伝達媒体の内容に対応するウェブサイトの所在情報を、前記端末側非接触無線タグ読取装置によって取得する所在情報取得工程と、
前記携帯情報端末が、前記ウェブサイトの所在情報と、前記固定側無線タグの識別情報とを含む更新情報を、前記中継局へ送信する情報送信工程と、
前記中継局が、前記携帯情報端末から送信された更新情報に基づいて、前記記憶手段に格納された前記固定側無線タグの識別情報に対応するウェブサイトの所在情報を、当該交換側無線タグに対応するウェブサイトの所在情報へ更新する所在情報更新工程と
を有することを特徴とする情報提供管理方法。
【請求項８】
前記識別情報取得工程において、前記携帯情報端末は、更新作業者に対して、前記固定側無線タグの識別情報を前記携帯情報端末の前記端末側非接触無線タグ読取装置によって読み取るように促す
ことを特徴とする請求項３、４又は７に記載の情報提供管理方法。
【請求項９】
前記情報伝達媒体を格納する前記格納装置が、所定の法則によってグループ化されており、
前記格納装置に格納される前記情報伝達媒体の内容が変更されて、前記記憶手段に格納される前記所在情報と前記識別情報とを更新する場合の工程において、
当該グループ化されたグループ単位で、前記中継局の前記記憶手段に格納された前記識別情報に対応するウェブサイトの所在情報を更新する
ことを特徴とする請求項１乃至８のいずれか１項に記載の情報提供管理方法。
【請求項１０】
前記所定の法則とは、前記格納装置の設置されるエリアである
ことを特徴とする請求項９に記載の情報提供管理方法。
【請求項１１】
前記所定の法則とは、前記格納装置に格納される情報伝達媒体のコンテンツである
ことを特徴とする請求項９に記載の情報提供管理方法。
【請求項１２】
情報伝達媒体を格納する格納装置側に設けられた非接触無線タグ読取装置と、該非接触無線タグ読取装置と通信可能な非接触情報記憶媒体を有する携帯情報端末と、該携帯情報端末が前記非接触無線タグ読取装置にかざされることにより通信して得た前記非接触無線タグ読取装置の識別情報を含む伝達情報に基づいて通信する中継局と、該中継局とネットワークを介して接続される情報提供のための複数のウェブサイトと、を備えると共に、前記中継局が、前記複数のウェブサイトの所在情報と前記非接触無線タグ読取装置の識別情報とを対応させて格納する記憶手段と、前記携帯情報端末と通信するための通信手段と、前記携帯情報端末と通信することによって得た前記伝達情報に基づいて、当該携帯情報端末をかざした前記非接触無線タグ読取装置が設けられた前記格納装置における前記情報伝達媒体の内容に対応するウェブサイトを、前記複数のウェブサイトの中から検索する検索手段とを有し、前記携帯情報端末が前記伝達情報に基づいて前記中継局と通信すると、該中継局が前記伝達情報に含まれる前記識別情報に基づき、前記検索手段によって前記対応するウェブサイトを検索し、当該検索したウェブサイトへ前記携帯情報端末をアクセスさせる情報提供管理システムであって、
前記格納装置における前記情報伝達媒体の内容が変更されて、前記記憶手段に格納される前記所在情報と前記識別情報とを更新する場合に、
前記携帯情報端末が、更新作業者によって前記非接触無線タグ読取装置にかざされることにより前記非接触無線タグ読取装置と通信して前記識別情報を得た後、当該携帯情報端末に設けられた撮影手段が更新作業者に操作されることによって、前記変更された情報伝達媒体に予め設けられ、当該情報伝達媒体の内容に対応するウェブサイトの所在情報を表す所定のコードを撮影し、当該撮影した前記所定のコードの画像と、前記非接触無線タグ読取装置の識別情報とを含む更新情報を、前記中継局へ送信すると、
前記中継局が、前記更新情報に含まれるコード画像に基づいて、前記所定のコードを前記変更された情報伝達媒体に対応するウェブサイトの所在情報へ変換し、当該変換したウェブサイトの所在情報と、前記更新情報に含まれる前記非接触無線タグ読取装置の識別情報とに基づいて、前記記憶手段に格納された前記非接触無線タグ読取装置の識別情報に対応するウェブサイトの所在情報を、当該変更された情報伝達媒体の内容に対応するウェブサイトの所在情報へ更新する
ことを特徴とする情報提供管理システム。
【発明の詳細な説明】
【技術分野】
【０００１】
本発明は、情報提供管理方法および情報提供管理システムに関し、特に、携帯情報端末を利用して広告を提供する情報提供管理方法および情報提供管理システム等に適用して好適なものである。
【背景技術】
【０００２】
従来、情報提供（とりわけ、企業等の広告など）としては、例えば新聞、雑誌、チラシ、情報誌、またはポスター等による交通街頭広告などの紙面に掲載する広告や、テレビ、ラジオなどの放送メディアを利用した広告等が多用されているが、これらは、広告主（企業側）から利用者や消費者などのユーザ側に向けた一方向的な広告であった。
【０００３】
従って、街を歩いていたり電車に乗っていたりしているときに、気になる商品や催し物等の広告物を見つけたとしても、それら情報伝達媒体（すなわち、広告媒体）から広告内容の詳細を知ることは、ほとんど不可能であった。そのため、その広告内容について詳細な情報を求めたいときは、販売店に出掛けたり、カタログを取り寄せたり、電話等で問い合わせたりしていた。
【０００４】
これに対して、近年では、インターネット等のネットワークの普及によって、ユーザが本人の意思により、広告主（企業など）から所望の情報を取得する双方向の広告活動が行われるようになってきている。かかる双方向の広告（宣伝）では、例えば、企業がネットワーク上にウェブサイトを設け、ユーザがインターネット等を利用して前記ウェブサイトにアクセスする。そして、ユーザは、アクセスしたウェブサイトから、所望の情報を閲覧したり、さらに詳しい情報を所得したりすることができるようになっている。
【０００５】
ところが、インターネット上で目的の情報が掲載されているウェブサイトを発見するためには、該ウェブサイトのＵＲＬが解らない場合、サーチエンジンを使用して探したり、関連しそうなウェブサイトにアクセスして手掛かりを求めたりと手間が掛かり、目的のウェブサイトに到達するまでに煩雑さを要する問題があった。また、ＵＲＬが広告等に掲載されていたりして解っていたとしても、該ＵＲＬは一般的に小さな文字で記載されていることが多いために無視されがちである。さらに、広告に掲載されたＵＲＬは、覚えたり書き写したりしておき、後でパソコン等に入力してアクセスするか、或いはその場で携帯電話などの携帯型情報端末に入力してアクセスしなければならず、その面倒臭さの故に利用者が拡大していないのが実状である。
【０００６】
一方、昨今の携帯情報端末、とりわけ携帯電話機（以下、これを単に携帯電話と称する）の普及および飛躍的な進化（アプリケーション等の機能の向上）などによって、インターネット等のネットワークに対する接続にも、起動に時間を要するパソコン（Personal Computer：PC）に代わって携帯電話を利用するユーザが急増している。
【０００７】
このため、かかる問題を解消するために、近年の広告としては、上述したような各種広告において、広告内容に関する情報を提供しているウェブサイトのＵＲＬやＵＲＬなどを情報として保持する２次元コードが印刷され、該２次元コードを利用して上述した広告主のウェブサイトへのアクセスを促すものが広まってきている。
【０００８】
具体的に、２次元コードを用いた広告は、例えば、以下のような手順で閲覧できるようになっている。すなわち、ユーザはポスターなどに掲載された２次元コードであるＱＲコード（登録商標）等を、読み込み機能を有した携帯情報端末（例えば、携帯電話のカメラ機能等）を利用して読み込む。このとき、携帯電話は既存のバーコードを読み込むリーダ等のアプリケーションを利用して、ＱＲコードを読み込むと共に、読み込んだＱＲコードから情報を解読し、解読された情報（例えば、広告主が用意したウェブサイトの所在を特定するＵＲＬ（Uniform Resource Locator）等）を携帯電話のディスプレイに表示する。
【０００９】
そして、ユーザは、該ディスプレイに表示されたＵＲＬに基づき、手動操作、または携帯電話に既存の所定のアプリケーションによる自動操作によって、該ＵＲＬで示されるウェブサイトへアクセスするか否かを選択する。このとき、ユーザが前記アクセスを選択すれば、携帯電話に既存のブラウザ（ウェブブラウザ）が該ＵＲＬのウェブサイトにアクセスするため、ユーザはＵＲＬを入力する手間を省いて所定の広告を閲覧できる仕組みになっている（例えば、特許文献１または２参照）。しかしながら、ＱＲコードは携帯電話等における専用のアプリケーションを起動して読み取らなくてはならないため、使い勝手が面倒である未だ不十分な課題が残っている。
【００１０】
かかる課題を解決するべく、このようなＱＲコードを用いる広告に加えて、例えば、ＩＣ（Integrated Circuit：集積回路）カードを用いる広告が本願発明者等によって開発されている（例えば、特許文献３参照）。この場合、情報伝達媒体である広告媒体としてのポスターが、格納装置としての広告パネルに設けられ、該広告パネルには、その背面からポスターを照明するための照明装置と、照明装置の背面に付着され、携帯情報端末の非接触情報記憶媒体（例えば、携帯電話の非接触型無線タグ）からの無線通信による情報を読み書きする非接触型無線タグ読取装置（以下、これを単にリーダライタと称する）とが具備されている。このような広告パネルは、例えば、公共の場である駅や街頭、店頭などに掲示される。
【００１１】
この場合、リーダライタには、前記広告パネルに掲示されるポスターに関する広告情報、地図等のポイントやエリア情報等を得るための当該ポスターの広告主が用意するウェブサイトへアクセスする際に中継局となる転送サーバのＵＲＬが記憶されている。
【００１２】
具体的に、かかるリーダライタには、前記中継局としての転送サーバのＵＲＬが、当該リーダライタの認証ＩＤ（以下、これを単にリーダＩＤと称す）をパラメータとして付加してなるＵＲＬ情報として格納されている。そして、リーダライタは、携帯電話などがかざされることによって該携帯電話の非接触型無線タグに対し、前記ＵＲＬ情報を通知する。
【００１３】
一方、転送サーバには、複数の企業のウェブサイトにアクセスするための該ウェブサイトのＵＲＬと、このＵＲＬに対応するポスターに設置されたリーダライタ毎に設定される前記リーダＩＤとが対応付けて格納されている。そして、ユーザが携帯電話の非接触型無線タグに通知された前記ＵＲＬ情報に基づいて、移動通信網等を介して前記転送サーバにアクセスすると、該転送サーバには、前記携帯電話からアクセス（通信）されることにより前記ＵＲＬ情報が通知される。
【００１４】
これにより、転送サーバは、前記携帯電話から通知されたＵＲＬ情報にパラメータとして付加された前記リーダＩＤに基づき、対応するウェブサーバのＵＲＬを検索し、当該検索したＵＲＬに基づいて、前記携帯電話をネットワーク等を介して当該対応するウェブサーバへと転送（アクセス）させる。このようにして、ユーザは、携帯電話をポスターに設置されたリーダライタにかざすだけで、目的のウェブサーバへとアクセスすることができるようになっている。
【００１５】
因みに、本明細書において、ＩＤ（Identification）とは、いわゆる一般的な個体識別、利用者識別、およびそのための符号である識別子を意味している。
【先行技術文献】
【特許文献】
【００１６】
【特許文献１】特開２００９−２８２８９６号公報
【特許文献２】特開２００９−２７１６７５号公報
【特許文献３】特開２００９−２０５１６６号公報
【発明の概要】
【発明が解決しようとする課題】
【００１７】
ところで、かかる特許文献３の広告パネルにおいては、所定の広告期間を経た後に掲示していたポスターを交換する（言い換えれば、格納装置における情報伝達媒体の内容が変更される）場合、リーダライタにおける設定（すなわち、掲示するポスターの内容に対応したウェブサイトへの転送先設定等）を更新しなければならない。
【００１８】
しかしながら、ポスターの交換作業時に、該ポスターの交換に加えて、リーダライタの設定を変更することは、作業者がリーダライタの設定等の技術に対応した能力を身に着けていなくてはならず、当該作業者の負担を増やし、作業効率を低下させるおそれがあった。
【００１９】
また、前記作業者の負担を軽くするべく、ポスター交換時に対応してリーダライタの設定を変更するための更新プログラム（例えば、転送サーバ側でリーダＩＤに対応するウェブサイトのＵＲＬを更新する等のプログラム）を作成した場合、ポスターの交換作業と転送サーバの更新作業を同期させる必要を要する問題があった。さらに、この場合、転送サーバを更新させるプログラムをポスター交換の度に作成する必要があるため、該更新プログラムの作成費用が嵩み、広告パネルの保守作業に要する費用が膨大となる課題があった。
【００２０】
このように、従来の広告パネルでは、かかるポスターを交換する毎に必要なリーダライタの設定を更新する（言い換えれば、広告内容の変更に伴った、変更後の広告内容に対応するウェブサイトへアクセスするために設定を更新する）作業が煩雑であり、容易に適用することが困難である課題があった。
【００２１】
そこで、本発明は、上述した問題点に鑑みてなされたものであり、情報伝達媒体の変更に伴って、該情報伝達媒体の内容に対応するウェブサイトへアクセスするための設定を更新する作業を格段と簡易にすることができる情報提供管理方法および情報提供管理システムを提供することを目的とする。
【課題を解決するための手段】
【００２２】
（１）本発明は、情報伝達媒体を格納する格納装置側に設けられた非接触無線タグ読取装置と、該非接触無線タグ読取装置と通信可能な非接触情報記憶媒体を有する携帯情報端末と、該携帯情報端末が前記非接触無線タグ読取装置にかざされることにより通信して得た前記非接触無線タグ読取装置の識別情報を含む伝達情報に基づいて通信する中継局と、該中継局とネットワークを介して接続される情報提供のための複数のウェブサイトと、を備えると共に、前記中継局が、前記複数のウェブサイトの所在情報と前記非接触無線タグ読取装置の識別情報とを対応させて格納する記憶手段と、前記携帯情報端末と通信するための通信手段と、前記携帯情報端末と通信することによって得た前記伝達情報に基づいて、当該携帯情報端末をかざした前記非接触無線タグ読取装置が設けられた前記格納装置における前記情報伝達媒体の内容に対応するウェブサイトを、前記複数のウェブサイトの中から検索する検索手段とを有する情報提供管理システムにおける前記携帯情報端末が前記伝達情報に基づいて前記中継局と通信する通信工程と、該中継局が前記伝達情報に含まれる前記識別情報に基づき、前記検索手段によって前記対応するウェブサイトを検索する検索工程と、前記中継局が当該検索したウェブサイトへ前記携帯情報端末をアクセスさせるアクセス工程とを有する情報提供管理方法であって、前記格納装置における前記情報伝達媒体の内容が変更されて、前記記憶手段に格納される前記所在情報と前記識別情報とを更新する場合の工程として、前記携帯情報端末が、更新作業者によって前記非接触無線タグ読取装置にかざされることにより前記非接触無線タグ読取装置と通信して前記識別情報を得る識別情報取得工程と、前記携帯情報端末が、更新作業者によって操作されることにより、前記変更された情報伝達媒体に予め設けられ、当該情報伝達媒体の内容に対応するウェブサイトの所在情報を表す所定のコードを、当該携帯情報端末に設けられた撮影手段によって撮影する所在情報取得工程と、前記携帯情報端末が、当該撮影した前記所定のコードの画像と、前記非接触無線タグ読取装置の識別情報とを含む更新情報を、前記中継局へ送信する情報送信工程と、前記中継局が、前記更新情報に含まれるコード画像に基づいて、前記所定のコードを前記変更された情報伝達媒体に対応するウェブサイトの所在情報へ変換する中継局側コード変換工程と、前記中継局が、変換した当該ウェブサイトの所在情報と、前記更新情報に含まれる前記非接触無線タグ読取装置の識別情報とに基づいて、前記記憶手段に格納された前記非接触無線ＩＣタグ読取装置の識別情報に対応するウェブサイトの所在情報を、当該変更された情報伝達媒体の内容に対応するウェブサイトの所在情報へ更新する所在情報更新工程とを有することを特徴とする情報提供管理方法である。
【００２３】
（２）本発明は、情報伝達媒体を格納する格納装置側に設けられた非接触無線タグ読取装置と、該非接触無線タグ読取装置と通信可能な非接触情報記憶媒体を有する携帯情報端末と、該携帯情報端末が前記非接触無線タグ読取装置にかざされることにより通信して得た前記非接触無線タグ読取装置の識別情報を含む伝達情報に基づいて通信する中継局と、該中継局とネットワークを介して接続される情報提供のための複数のウェブサイトと、を備えると共に、前記中継局が、前記複数のウェブサイトの所在情報と前記非接触無線タグ読取装置の識別情報とを対応させて格納する記憶手段と、前記携帯情報端末と通信するための通信手段と、前記携帯情報端末と通信することによって得た前記伝達情報に基づいて、当該携帯情報端末をかざした前記非接触無線タグ読取装置が設けられた前記格納装置における前記情報伝達媒体の内容に対応するウェブサイトを、前記複数のウェブサイトの中から検索する検索手段とを有する情報提供管理システムにおける前記携帯情報端末が前記伝達情報に基づいて前記中継局と通信する通信工程と、該中継局が前記伝達情報に含まれる前記識別情報に基づき、前記検索手段によって前記対応するウェブサイトを検索する検索工程と、前記中継局が当該検索したウェブサイトへ前記携帯情報端末をアクセスさせるアクセス工程とを有する情報提供管理方法であって、前記格納装置における前記情報伝達媒体の内容が変更されて、前記記憶手段に格納される前記所在情報と前記識別情報とを更新する場合の工程として、前記携帯情報端末が、更新作業者によって前記非接触無線タグ読取装置にかざされることにより前記非接触無線タグ読取装置と通信して前記識別情報を得る識別情報取得工程と、前記携帯情報端末が、更新作業者に操作されることによって、前記変更された情報伝達媒体に予め設けられ、当該情報伝達媒体の内容に対応するウェブサイトの所在情報を表す所定のコードを、当該携帯情報端末に設けられた撮影手段によって撮影する所在情報取得工程と、前記携帯情報端末が、撮影した前記所定のコードの画像を、当該携帯情報端末のアプリケーションプログラムを用いて前記変更された情報伝達媒体に対応するウェブサイトの所在情報へ変換する携帯側コード変換工程と、前記携帯情報端末が、前記変換したウェブサイトの所在情報と、前記非接触無線タグ読取装置の識別情報とを含む更新情報を、前記中継局へ送信する情報送信工程と、前記中継局が、前記携帯情報端末から送信された更新情報に基づいて、前記記憶手段に格納された前記非接触無線タグ読取装置の識別情報に対応するウェブサイトの所在情報を、当該変更された後の情報伝達媒体の内容に対応するウェブサイトの所在情報へ更新する所在情報更新工程とを有することを特徴とする情報提供管理方法である。
【００２４】
（３）本発明は、情報伝達媒体を格納する格納装置側に設けられた固定側無線タグと、該固定側無線タグと通信可能な端末側非接触無線タグ読取装置を有する携帯情報端末と、該携帯情報端末が前記固定側無線タグと通信することにより得た前記固定側無線タグの識別情報を含む伝達情報に基づいて通信する中継局と、該中継局とネットワークを介して接続される情報提供のための複数のウェブサイトと、を備えると共に、前記中継局が、前記複数のウェブサイトの所在情報と前記固定側無線タグの識別情報とを対応させて格納する記憶手段と、前記携帯情報端末と通信するための通信手段と、前記携帯情報端末と通信することによって得た前記伝達情報に基づいて、当該携帯情報端末と通信した前記固定側無線タグが設けられた前記格納装置における前記情報伝達媒体の内容に対応するウェブサイトを、前記複数のウェブサイトの中から検索する検索手段とを有する情報提供管理システムにおける前記携帯情報端末が前記伝達情報に基づいて前記中継局と通信する通信工程と、該中継局が前記伝達情報に含まれる前記識別情報に基づき、前記検索手段によって前記対応するウェブサイトを検索する検索工程と、前記中継局が当該検索したウェブサイトへ前記携帯情報端末をアクセスさせるアクセス工程とを有する情報提供管理方法であって、前記格納装置における前記情報伝達媒体の内容が変更されて、前記記憶手段に格納される前記所在情報と前記識別情報とを更新する場合の工程として、前記携帯情報端末が、更新作業者に操作されることによって、前記固定側無線タグと通信して前記識別情報を得る識別情報取得工程と、前記携帯情報端末が、更新作業者に操作されることによって、前記変更された情報伝達媒体に予め設けられ、当該情報伝達媒体の内容に対応するウェブサイトの所在情報を表す所定のコードを、当該携帯情報端末に設けられた撮影手段によって撮影する所在情報取得工程と、前記携帯情報端末が、当該撮影した前記所定のコードの画像と、前記固定側無線タグの識別情報とを含む更新情報を、前記中継局へ送信する情報送信工程と、前記中継局が、前記更新情報に含まれるコード画像に基づいて、前記変更された情報伝達媒体に対応するウェブサイトの所在情報へ変換する中継局側コード変換工程と、前記中継局が、変換した当該ウェブサイトの所在情報と、前記更新情報に含まれる前記固定側無線タグの識別情報とに基づいて、前記記憶手段に格納された前記固定側無線タグの識別情報に対応するウェブサイトの所在情報を、当該変更された情報伝達媒体の内容に対応するウェブサイトの所在情報へ更新する所在情報更新工程とを有することを特徴とする情報提供管理方法である。
【００２５】
（４）本発明は、情報伝達媒体を格納する格納装置側に設けられた固定側無線タグと、該固定側無線タグと通信可能な端末側非接触無線タグ読取装置を有する携帯情報端末と、該携帯情報端末が前記固定側無線タグと通信することにより得た前記固定側無線タグの識別情報を含む伝達情報に基づいて通信する中継局と、該中継局とネットワークを介して接続される情報提供のための複数のウェブサイトと、を備えると共に、前記中継局が、前記複数のウェブサイトの所在情報と前記固定側無線タグの識別情報とを対応させて格納する記憶手段と、前記携帯情報端末と通信するための通信手段と、前記携帯情報端末と通信することによって得た前記伝達情報に基づいて、当該携帯情報端末と通信した前記固定側無線タグが設けられた前記格納装置における前記情報伝達媒体の内容に対応するウェブサイトを、前記複数のウェブサイトの中から検索する検索手段とを有する情報提供管理システムにおける前記携帯情報端末が前記伝達情報に基づいて前記中継局と通信する通信工程と、該中継局が前記伝達情報に含まれる前記識別情報に基づき、前記検索手段によって前記対応するウェブサイトを検索する検索工程と、前記中継局が当該検索したウェブサイトへ前記携帯情報端末をアクセスさせるアクセス工程とを有する情報提供管理方法であって、前記格納装置における前記情報伝達媒体の内容が変更されて、前記記憶手段に格納される前記所在情報と前記識別情報とを更新する場合の工程として、前記携帯情報端末が、更新作業者に操作されることによって、前記固定側無線タグと通信して前記識別情報を得る識別情報取得工程と、前記携帯情報端末が、更新作業者に操作されることによって、前記変更された情報伝達媒体に予め設けられ、当該情報伝達媒体の内容に対応するウェブサイトの所在情報を表す所定のコードを、当該携帯情報端末に設けられた撮影手段によって撮影する所在情報取得工程と、前記携帯情報端末が、撮影した前記所定のコードの画像を、当該携帯情報端末のアプリケーションプログラムを用いて前記変更された情報伝達媒体に対応するウェブサイトの所在情報へ変換する携帯側コード変換工程と、前記携帯情報端末が、前記変換したウェブサイトの所在情報と、前記固定側無線タグの識別情報とを含む更新情報を、前記中継局へ送信する情報送信工程と、前記中継局が、前記携帯情報端末から送信された更新情報に基づいて、前記記憶手段に格納された前記固定側無線タグの識別情報に対応するウェブサイトの所在情報を、当該変更された情報伝達媒体の内容に対応するウェブサイトの所在情報へ更新する所在情報更新工程とを有することを特徴とする情報提供管理方法である。
【００２６】
（５）本発明はまた、前記情報送信工程は、前記更新情報を電子メール形式で送信することを特徴とする前記（１）乃至（４）のいずれか１つに記載の情報提供管理方法である。
【００２７】
（６）本発明はさらに、前記情報伝達媒体に予め設けられる前記所定のコードは２次元コードで構成されることを特徴とする前記（１）乃至（５）のいずれか１つに記載の情報提供管理方法である。
【００２８】
（７）本発明は、情報伝達媒体を格納する格納装置側に設けられた固定側無線タグと、該固定側無線タグと通信可能な端末側非接触無線タグ読取装置を有する携帯情報端末と、該携帯情報端末が前記固定側無線タグと通信することにより得た前記固定側無線タグの識別情報を含む伝達情報に基づいて通信する中継局と、該中継局とネットワークを介して接続される情報提供のための複数のウェブサイトと、を備えると共に、前記中継局が、前記複数のウェブサイトの所在情報と前記固定側無線タグの識別情報とを対応させて格納する記憶手段と、前記携帯情報端末と通信するための通信手段と、前記携帯情報端末と通信することによって得た前記伝達情報に基づいて、当該携帯情報端末が通信した前記固定側無線タグを有する前記格納装置に格納される前記情報伝達媒体の内容に対応するウェブサイトを、前記複数のウェブサイトの中から検索する検索手段とを有する情報提供管理システムにおける前記携帯情報端末が前記伝達情報に基づいて前記中継局と通信する通信工程と、該中継局が前記伝達情報に含まれる前記識別情報に基づき、前記検索手段によって前記対応するウェブサイトを検索する検索工程と、前記中継局が当該検索したウェブサイトへ前記携帯情報端末をアクセスさせるアクセス工程とを有する情報提供管理方法であって、前記格納装置における前記情報伝達媒体の内容が変更されて、前記記憶手段に格納される前記所在情報と前記識別情報とを更新する場合の工程として、前記携帯情報端末が、更新作業者に操作されることによって、前記固定側無線タグと通信して前記識別情報を得る識別情報取得工程と、前記携帯情報端末が、更新作業者に操作されることによって、前記変更された情報伝達媒体に予め設けられる交換側無線タグに予め格納された、当該情報伝達媒体の内容に対応するウェブサイトの所在情報を、前記端末側非接触無線タグ読取装置によって取得する所在情報取得工程と、前記携帯情報端末が、前記ウェブサイトの所在情報と、前記固定側無線タグの識別情報とを含む更新情報を、前記中継局へ送信する情報送信工程と、前記中継局が、前記携帯情報端末から送信された更新情報に基づいて、前記記憶手段に格納された前記固定側無線タグの識別情報に対応するウェブサイトの所在情報を、当該交換側無線タグに対応するウェブサイトの所在情報へ更新する所在情報更新工程とを有することを特徴とする情報提供管理方法である。
【００２９】
（８）本発明はまた、前記識別情報取得工程において、前記携帯情報端末は、更新作業者に対して、前記固定側無線タグの識別情報を前記携帯情報端末の前記端末側非接触無線タグ読取装置によって読み取るように促すことを特徴とする前記（３）、（４）又は（７）に記載の情報提供管理方法である。
【００３０】
（９）本発明はまた、前記情報伝達媒体を格納する前記格納装置が、所定の法則によってグループ化されており、前記格納装置に格納される前記情報伝達媒体の内容が変更されて、前記記憶手段に格納される前記所在情報と前記識別情報とを更新する場合の工程において、当該グループ化されたグループ単位で、前記中継局の前記記憶手段に格納された前記識別情報に対応するウェブサイトの所在情報を更新することを特徴とする前記（１）乃至（８）のいずれか１つに記載の情報提供管理方法である。
【００３１】
（１０）本発明はさらに、前記所定の法則とは、前記格納装置の設置されるエリアであることを特徴とする前記（９）に記載の情報提供管理方法である。
【００３２】
（１１）本発明はさらに、前記所定の法則とは、前記格納装置に格納される情報伝達媒体のコンテンツであることを特徴とする前記（９）に記載の情報提供管理方法である。
【００３３】
（１２）本発明は、情報伝達媒体を格納する格納装置側に設けられた非接触無線タグ読取装置と、該非接触無線タグ読取装置と通信可能な非接触情報記憶媒体を有する携帯情報端末と、該携帯情報端末が前記非接触無線タグ読取装置にかざされることにより通信して得た前記非接触無線タグ読取装置の識別情報を含む伝達情報に基づいて通信する中継局と、該中継局とネットワークを介して接続される情報提供のための複数のウェブサイトと、を備えると共に、前記中継局が、前記複数のウェブサイトの所在情報と前記非接触無線タグ読取装置の識別情報とを対応させて格納する記憶手段と、前記携帯情報端末と通信するための通信手段と、前記携帯情報端末と通信することによって得た前記伝達情報に基づいて、当該携帯情報端末をかざした前記非接触無線タグ読取装置が設けられた前記格納装置における前記情報伝達媒体の内容に対応するウェブサイトを、前記複数のウェブサイトの中から検索する検索手段とを有し、前記携帯情報端末が前記伝達情報に基づいて前記中継局と通信すると、該中継局が前記伝達情報に含まれる前記識別情報に基づき、前記検索手段によって前記対応するウェブサイトを検索し、当該検索したウェブサイトへ前記携帯情報端末をアクセスさせる情報提供管理システムであって、前記格納装置における前記情報伝達媒体の内容が変更されて、前記記憶手段に格納される前記所在情報と前記識別情報とを更新する場合に、前記携帯情報端末が、更新作業者によって前記非接触無線タグ読取装置にかざされることにより前記非接触無線タグ読取装置と通信して前記識別情報を得た後、当該携帯情報端末に設けられた撮影手段が更新作業者に操作されることによって、前記変更された情報伝達媒体に予め設けられ、当該情報伝達媒体の内容に対応するウェブサイトの所在情報を表す所定のコードを撮影し、当該撮影した前記所定のコードの画像と、前記非接触無線タグ読取装置の識別情報とを含む更新情報を、前記中継局へ送信すると、前記中継局が、前記更新情報に含まれるコード画像に基づいて、前記所定のコードを前記変更された情報伝達媒体に対応するウェブサイトの所在情報へ変換し、当該変換したウェブサイトの所在情報と、前記更新情報に含まれる前記非接触無線タグ読取装置の識別情報とに基づいて、前記記憶手段に格納された前記非接触無線タグ読取装置の識別情報に対応するウェブサイトの所在情報を、当該変更された情報伝達媒体の内容に対応するウェブサイトの所在情報へ更新することを特徴とする情報提供管理システムである。
【発明の効果】
【００３４】
本発明によれば、情報伝達媒体を格納する格納装置側に設けられる非接触無線タグ読取装置や、無線タグと通信して得た伝達情報に基づいて、当該情報伝達媒体の内容に対応したウェブサイトへ携帯情報端末によりアクセスする際に、情報伝達媒体の内容が変更された場合、当該変更に伴って、該変更された情報伝達媒体の内容に対応するウェブサイトへアクセスするための設定を更新する作業を格段と簡易にすることが可能な情報提供管理方法および情報提供管理システムを実現することができる。
【図面の簡単な説明】
【００３５】
【図１】本発明の第１実施例に係る情報提供管理システムの構成を概略的に示す概略構成図である。
【図２】図１に示したポスター２の構成を概略的に示す（ａ）平面図、および、（ｂ）そのｂ−ｂ断面を示す断面図である。
【図３】図１に示した携帯電話４および転送サーバ５の構成を概略的に示すブロック図である。
【図４】図１に示した転送サーバ５におけるメモリ５１の具体的な情報の格納状態を示す概略構成図である。
【図５】本発明の第１実施例に係る情報提供管理方法としてのアクセス設定変更処理手順を示すフローチャートである。
【図６】本発明の他の実施例に係る情報提供管理方法としてのアクセス設定変更処理手順を示すフローチャートである。
【図７】本発明の第２の実施例に係る情報提供管理システムの構成を概略的に示す概略構成図である。
【図８】図７に示した携帯電話４０および転送サーバ５の構成を概略的に示すブロック図である。
【図９】本発明の第２実施例に係る情報提供管理方法としてのアクセス設定変更処理手順を示すフローチャートである。
【図１０】本発明の他の実施例に係る情報提供管理方法としてのアクセス設定変更処理手順を示すフローチャートである。
【図１１】本発明の他の実施例に係る情報提供管理システムの構成を概略的に示す概略構成図である。
【図１２】本発明の他の実施例にかかる情報提供管理方法としてのアクセス設定変更処理手順を示すフローチャートである。
【発明を実施するための形態】
【００３６】
（本実施の形態の基本概念）
まず、本実施の形態の基本概念について説明する。本実施の形態に係る情報提供管理方法および情報提供管理システムは、情報伝達媒体として、例えば、ポスター等の広告媒体を適用し、該ポスターに非接触無線タグ読取装置（以下、これを単にリーダライタと称する）や、無線タグを設けている。そして、当該ポスターの広告を見て興味を持ったユーザが、前記リーダライタや無線タグと通信可能な携帯情報端末をかざすことで、当該ポスターの広告内容に応じた広告主の用意するウェブサイトへとアクセスさせ、広告を提示するようになっている。ここで、携帯情報端末の具体的内容は任意であり、携帯電話や、ＰＤＡ（Personal Digital Assistance)などが好ましい。以下では、携帯電話を例にとって説明する。
【００３７】
以下、本発明を実施するための形態について、添付図面を参照しながら実施例を挙げて説明する。なお、以下の説明において、周知の手法、周知の手順、周知の構造、周知のアーキテクチャ等（以下、これらを総じて周知事項と称す）については、その細部にわたる説明を割愛するが、これは説明を簡潔にするためであって、これら周知事項のすべてまたは一部を意図的に排除するものではない。かかる周知事項は、本発明の出願時点で当業者の知り得るところであるので、以下の説明に当然含まれている。
【実施例】
【００３８】
（第１実施例）
以下、図１〜図５を参照して本発明の第１実施例に係る情報提供管理方法および情報提供管理システムについて説明する。図１は、本発明の第１実施例に係る情報提供管理システムの構成を概略的に示す概略構成図であり、図２は、図１に示した広告パネル２の構成を概略的に示す（ａ）平面図、および、（ｂ）そのｂ−ｂ断面を示す断面図である。
【００３９】
図１において、本発明の第１実施例による情報提供管理システム１は、情報伝達媒体であるポスター２１を格納する格納装置としての広告パネル２に非接触無線タグ読取装置であるリーダライタ３が設けられ、該リーダライタ３と通信可能な非接触情報記憶媒体である非接触無線タグ４３（後述の図３参照）を有する携帯情報端末としての携帯電話４を備える。また、情報提供管理システム１は、サービス提供業者が運用し、携帯電話４がリーダライタ３にかざされることにより通信して得たリーダライタ３の識別情報（以下、これをリーダＩＤと称する）を含む伝達情報に基づいて、携帯電話４が通信する中継局であって、携帯電話４の所有者（すなわち、ユーザ）が得たポスター２１に関する情報を、当該ポスター２１の広告主が用意する企業ホームページ等のウェブサイトＷ１へと転送させるための転送サーバ５が、移動通信網６を介して携帯電話４と相互に接続されている。
【００４０】
このとき、ウェブサイトＷ１は、ポスター２１に掲載される広告の内容や、情報を提供しようとする広告主毎に、それぞれ対応して複数設けられており、これら各種ウェブサイトＷ１、Ｗ２・・・Ｗｎがインターネット等のネットワーク７を介して転送サーバ５と相互に接続されている。
【００４１】
ここで、広告パネル２に格納（掲示）されるポスター２１は、種々多様な（例えば、新商品、映画、イベント等）宣伝のために掲示されるものであり、本実施例の場合、例えば図２に示すように、広告パネル２は、ポスター２１を背面から照明するために該ポスター２１の背面に設けた面発光タイプの照明装置２２と、照明装置２２の背面に付着され、携帯電話４の非接触無線タグ４３（後述の図３参照）からの無線通信による情報を読み書きするリーダライタ３とを具備している。
【００４２】
より具体的には、照明装置２２はポスター２１の背面に付着される光透過性の導光板２２ａと、導光板２２ａの背面に付着され光の反射機能を有する反射板（図示省略する）と、導光板２２ａおよび反射板の両エッジに沿って配置される光源ユニット２２ｃとで構成される。因みに、図２における符号２３は、照明装置２２のエッジを保持する保持枠を、２４は反射板２２ｂを保護する保護板を、２５はポスター２１を保護する透明の保護板をそれぞれ示している。
【００４３】
リーダライタ３は、ここでは特に図示しないが、一般的なアンテナボードに実装されたアンテナ部と、このアンテナ部を制御すると共に、携帯電話４と送受信する情報（すなわち、ポスター２１の内容毎に対応するウェブサイトＷ１の所在情報であるＵＲＬ、および、リーダＩＤなど）を記憶する制御部とを有して構成されている。そして、ポスター２１に携帯電話４（より詳細には、携帯電話４の非接触無線タグ４３）や、その他の端末の無線タグ等がかざされ、リーダライタ３と通信を行うようになっている。
【００４４】
図３は、図１に示した携帯電話４および転送サーバ５の構成を概略的に示すブロック図である。図３に示すように、携帯電話４は、図示省略するＣＰＵ（Central Processing Unit）、ＲＯＭ（Read Only Memory）、ＲＡＭ（Random Access Memory）などの一般的な構成に加えて、移動通信網６を介して移動通信を行う通信部４１と、各種の情報を表示する表示部４２と、リーダライタ３との通信により該リーダライタ３に書き込まれたポスター２１の広告内容に対応したウェブサイトＷ１のＵＲＬ、および、リーダＩＤを取得する非接触無線タグ４３と、撮影手段としてのカメラ４４とを有している。
【００４５】
また、転送サーバ５は、図示省略するＣＰＵ（Central Processing Unit）、ＲＯＭ（Read Only Memory）、ＲＡＭ（Random Access Memory）などの一般的な構成に加えて、図４に示すように、複数のウェブサイトＷ１、Ｗ２・・・ＷｎのＵＲＬと、前記リーダＩＤとが対応させて（関連付けて）格納される記憶手段としての読書き可能なメモリ５１と、携帯電話４と通信するための通信手段である通信部５２と、携帯電話４と通信することによって得た前記伝達情報に基づいて、当該携帯電話４をかざしたリーダライタ３を設けるポスター２１の広告内容に対応するウェブサイトＷ１を、複数のウェブサイトＷ１、Ｗ２・・・Ｗｎの中から検索する検索手段としての検索部５３とがバス５４を介して接続されて構成されている。
【００４６】
そして、携帯電話４が前記伝達情報に基づいて転送サーバ５と通信すると、該転送サーバ５が前記伝達情報に含まれるリーダＩＤに基づいて、検索部５３によりポスター２１の広告内容に対応するウェブサイトＷ１を検索する。これにより、転送サーバ５は当該検索したウェブサイトＷ１へ携帯電話４を転送（アクセス）させるようになっている。
【００４７】
これらの構成に加えて、本実施例では、ポスター２１に当該ポスター２１の広告内容に対応したウェブサイトＷ１のＵＲＬを変換してなる２次元コードとしてのＱＲコード８が設けられている。これにより、例えば、ユーザの携帯電話４が、非接触無線タグ４３を備えていない場合においても、既存のアプリケーションプログラムによってＱＲコード８を変換することで、上述したウェブサイトＷ１へアクセスすることが可能となっている。
【００４８】
ここで、２次元コードとは、横方向にしか情報を持たない１次元コード（いわゆるバーコード）に対し、水平方向および垂直方向に情報を持つことができるコードをいい、従来のバーコードを積み上げた形態の「スタック型２次元コード」と、碁盤の目のような形態の「マトリックス型２次元コード」の２種類に大別することができる。
【００４９】
スタック型２次元コードの代表例としては、ＰＤＦ４１７、Ｃｏｄｅ４９などを挙げることができ、マトリックス型２次元コードの代表例としては、ＱＲコード（登録商標）、カラーコード（登録商標）、ＳＰコード、立体コードなどを挙げることができる。
【００５０】
かかるＱＲコード８には、さらに、コードの模様に任意のイラストなどを描くことができるデザインＱＲが含まれ、このデザインＱＲには、ＱＲコードの誤り訂正領域に任意のイラストなどを描いたものや、コードの模様で任意のイラストを表現するものなどがある。また、カラーコードは、複数の色（例えば、青、赤、黒、緑の４色）のマトリックスでコードを生成するものである。
【００５１】
なお、本明細書では、２次元コードとしてＱＲコード８を適用する場合について説明するが、本発明はこれに限らず、２次元コードとしては、この他、デザインＱＲや、ＱＲコードの表示領域（例えば、誤り訂正領域）にＱＲコードのコード情報とは別の報知情報を表示したり、ＱＲコードの模様で報知情報を表現したり、ホログラフを用いて報知情報を表示したりしても良い。
【００５２】
このように構成された本実施例の情報提供管理システム１では、広告パネル２に掲示されるポスター２１の広告内容が変更された場合、本発明の特徴である図５に示す以下の手順により、当該変更に伴って、転送サーバ５における該変更されたポスター２１の広告内容に対応するウェブサイトＷ１へアクセスさせるための設定を更新する作業としてのアクセス設定変更処理ＲＴ１を行う。
【００５３】
すなわち、かかるアクセス設定変更処理ＲＴ１は、まず識別情報取得工程ＳＰ１において、携帯電話４が、更新作業者に対して、リーダライタ３におけるリーダＩＤの入力を促す。このとき、更新作業者が該リーダＩＤを、例えば携帯電話４をかざすことによって取得すると、続く所在情報取得工程ＳＰ２において、携帯電話４が、更新作業者に対して、変更されたポスター２１に予め設けられるＱＲコード８を、携帯電話４のカメラ４４によって撮影するように促す。
【００５４】
これにより、更新作業者がＱＲコード８をカメラ４４によって撮影すると、携帯電話４は、情報送信工程ＳＰ３において、当該撮影したＱＲコード８の画像（以下、これを単にコード画像と称す）と、リーダライタ３のリーダＩＤとを含む更新情報を、転送サーバ５へ送信する。
【００５５】
一方、転送サーバ５は、携帯電話４から送信される更新情報を受信すると（ＳＰ４）、中継局側コード変換工程ＳＰ５において、当該更新情報に含まれるコード画像（ＱＲコード８を撮影した画像）に基づいて、当該ＱＲコード８を上述の変更されたポスター２１の広告内容に対応するウェブサイトＷ１のＵＲＬへ変換する。
【００５６】
そして、転送サーバ５は、続く所在情報更新工程ＳＰ６において、前記変換したウェブサイトＷ１のＵＲＬと、携帯電話４から送信された更新情報に含まれるリーダライタ３のリーダＩＤとに基づいて、メモリ５１に格納されたリーダライタ３のリーダＩＤに対応するウェブサイトＷ１、Ｗ２・・・ＷｎのＵＲＬを、当該変更された後のポスター２１の広告内容に対応するウェブサイトのＵＲＬへ更新する。
【００５７】
このように、本実施例の情報提供管理システム１におけるアクセス設定変更処理ＲＴ１（すなわち、本発明に係る第１実施例の情報提供管理方法）では、ポスター２１の広告内容が変更された場合、ポスター２１を交換する更新作業者が、携帯電話４のカメラ４４でＱＲコード８を撮影し、その画像を転送サーバ５に転送する簡単な工程で、かかるポスター２の変更に伴った更新作業を行うことができる。従って、従来のように、携帯電話４との通信を転送する転送サーバ５において、専用のプログラミングを作成するなどの前記ポスター２１の変更に伴った煩わしい更新作業を省くことができる。
【００５８】
かくして、ポスター２１の広告内容が変更されることに伴って、該変更されたポスター２１の広告内容に対応するウェブサイトＷ１へアクセスさせるための設定を更新する作業を格段と簡易にすることが可能な情報提供管理方法ＲＴ１および情報提供管理システム１を実現することができる。
【００５９】
以上、本発明の情報提供管理方法および情報提供管理システムを実施するための形態について第１実施例を用いて説明したが、本発明はこうした実施例に何等限定されるものではなく、本発明の要旨を逸脱しない範囲内において種々の変形及び置換を加えることができる。
【００６０】
例えば、以下に説明する本発明に係る情報提供管理方法としてのアクセス設定変更処理ＲＴ２にも適用することができる。かかるアクセス設定変更処理ＲＴ２は、図５との対応部分に同一符号を付した図６に示すように、第１実施例のアクセス設定変更処理ＲＴ１における中継局側コード変換工程ＳＰ５に換えて携帯側コード変換工程ＳＰ２ａが設けられている。この場合、かかる携帯側コード変換工程ＳＰ２ａにおいて、携帯電話４が撮影したＱＲコード８の画像（コード画像）を、当該携帯電話４のアプリケーションプログラムを用いて前記変更されたポスター２１の広告内容に対応するウェブサイトＷ１のＵＲＬへ、携帯電話４側で予め変換することにより、転送サーバ５側における処理を軽減させることができる利点を有している。
【００６１】
なお、上述した第１実施例においては、便宜上、ポスター２１を１つだけ図示した場合について述べたが、本発明はこれに限らず、実際には、全国各地の任意の様々な場所に、大量な数のポスター２１が設けられているものとする。また、携帯電話４に関しても同様に１つだけ図示しているが、これに限ることはなく、ポスター２１を交換する更新作業者毎に所持する携帯電話を用いることができる。
【００６２】
さらに、上述した第１実施例において、例えば、携帯電話４から転送サーバ５への通信に対し、所定のパスワードを設定することにより、転送サーバ５へのアクセスに制限を掛けるようにしても良い。この場合、例えば、前記リーダＩＤをいわゆるログインＩＤと兼用し、該ログインＩＤとパスワードとの組み合わせによって、転送サーバ５に対する通信を許可すれば、更新作業とユーザ管理を効率化することができる利点がある。
（第２実施例）
【００６３】
次に、図７〜図９を参照して本発明に係る第２実施例の情報提供管理方法および情報提供管理システムについて説明する。なお、第２実施例においては、第１実施例と共通または類似する部分についての説明は省略し、第１実施例と異なる部分を中心に説明する。また、第１実施例と同一または類似する構成等については、図や文中の符号を一致させることで、同構成の説明を省略する。
【００６４】
図１との対応部分に同一符号を付した図７は、本発明の第２実施例に係る情報提供管理システムの構成を概略的に示す概略構成図であり、図３との対応部分に同一符号を付した図８は、図７に示した携帯電話４０および転送サーバ５の構成を概略的に示すブロック図である。図７に示すように、本発明の第２実施例による情報提供管理システム１０では、広告パネル２に対し、リーダライタ３に換えて固定側無線タグとしてのＩＣタグ３０が設けられている点と、図８に示すように、携帯電話４０に対し、無線タグ４３に換えてＩＣタグ３０と通信可能な端末側非接触無線タグ読取装置である端末側リーダライタ４３１が設けられている点を除き、上述した第１実施例による情報提供管理システム１とほぼ同様に構成されている。
【００６５】
より具体的には、かかる情報提供管理システム１０において、広告パネル２に設けられたＩＣタグ３０は、自身の識別情報であるＩＤ（以下、これをタグＩＤと称す）と、ポスター２１の広告内容に対応するウェブサイトＷ１のＵＲＬなどが書き込まれたＲＦＩＤ（Radio Frequency Identification）であり、電波を受けて働く小型の電子装置である。ＩＣタグ３０は、タグリーダとしての携帯電話４０における端末側リーダライタ４３１が、かざされる等の無線通信により発射される電波によって微量な電力を生み出し、その電力で内蔵（格納）されるタグＩＤ等の情報の伝達処理を行うべく、電波を送信する。そして、携帯電話４０の端末側リーダライタ４３１は、この電波信号を読み取ってＩＣタグ３０に書き込まれたポスター２１の広告内容に対応したウェブサイトＷ１のＵＲＬ、および、タグＩＤを含む伝達情報を取得するようになっている。
【００６６】
このとき、ＩＣタグ３０には、例えばポスター２１の位置情報として、該ポスター２１が掲示（格納）された広告パネル２が設置された場所の位置を、住所または任意の施設（例えば、地下鉄銀座線  虎ノ門駅  １番出口など）を目印として示す設置位置情報等を格納しても良い。
【００６７】
この場合、転送サーバ５において、メモリ５１には、複数のウェブサイトＷ１、Ｗ２・・・ＷｎのＵＲＬと、前記タグＩＤとが対応させて（関連付けて）格納されていると共に、転送サーバ５は、当該タグＩＤに含まれる設置位置情報に基づいて、掲示されるポスター２１の掲示内容、掲示期間、位置情報、アクセス回数などを特定することが可能となっている。
【００６８】
そして、携帯電話４０が前記伝達情報に基づいて転送サーバ５と通信すると、該転送サーバ５が前記伝達情報に含まれるタグＩＤに基づき、検索部５３によってポスター２１の広告内容に対応するウェブサイトＷ１を検索し、当該検索したウェブサイトＷ１へ携帯電話４を転送（アクセス）させるようになっている。
【００６９】
なお、ＩＣタグ３０は、電池を内蔵し、自ら電波を発信するアクティブタイプでも良い。また、ＩＣタグ３０は、電池を内蔵せず、携帯電話４０からの呼び出しに応じて電波を発信するパッシブタイプであっても良い。また、ＩＣタグ３０は、広告パネル２に埋め込み可能とするため、薄型であることが望ましい。
【００７０】
かかる構成の情報提供管理システム１０では、広告パネル２に掲示されるポスター２１の広告内容が変更された場合、本発明の特徴である図９に示す以下の手順により、当該変更に伴って、転送サーバ５における該変更されたポスター２１の広告内容に対応するウェブサイトＷ１へアクセスさせるための設定を更新する作業としてのアクセス設定変更処理ＲＴ３を行う。
【００７１】
すなわち、かかるアクセス設定変更処理ＲＴ３は、まず識別情報取得工程ＳＰ１０において、携帯電話４０が、更新作業者に対して、ＩＣタグ３０におけるタグＩＤの入力を促す。このとき、更新作業者が該タグＩＤを、例えば携帯電話４０をかざすことによって取得すると、続く所在情報取得工程ＳＰ１１において、携帯電話４０が、更新作業者に対して、変更されたポスター２１に予め設けられるＱＲコード８を、携帯電話４０のカメラ４４によって撮影するように促す。
【００７２】
これにより、更新作業者がＱＲコード８をカメラ４４によって撮影すると、携帯電話４０は、情報送信工程ＳＰ１２において、当該撮影したコード画像と、ＩＣタグ３０のタグＩＤとを含む更新情報を、転送サーバ５へ送信する。
【００７３】
一方、転送サーバ５は、携帯電話４０から送信される更新情報を受信すると（ＳＰ１３）、中継局側コード変換工程ＳＰ１４において、当該更新情報に含まれるコード画像（ＱＲコード８を撮影した画像）に基づいて、当該ＱＲコード８を上述の変更されたポスター２１の広告内容に対応するウェブサイトＷ１のＵＲＬへ変換する。
【００７４】
そして、転送サーバ５は、続く所在情報更新工程ＳＰ１５において、前記変換したウェブサイトＷ１のＵＲＬと、携帯電話４０から送信された更新情報に含まれるＩＣタグ３０のタグＩＤとに基づいて、メモリ５１に格納されたＩＣタグ３０のタグＩＤに対応するウェブサイトＷ１、Ｗ２・・・ＷｎのＵＲＬを、当該変更された後のポスター２１の広告内容に対応するウェブサイトのＵＲＬへ更新する。
【００７５】
このように、本実施例の情報提供管理システム１０におけるアクセス設定変更処理ＲＴ３（すなわち、本発明に係る第２実施例の情報提供管理方法）では、ポスター２１の広告内容が変更された場合、ポスター２１を交換する更新作業者が、携帯電話４０のカメラ４４でＱＲコード８を撮影し、その画像を転送サーバ５に転送する簡単な工程で、かかるポスター２の変更に伴った更新作業を行うことができる。
【００７６】
従って、従来のように、携帯電話４０からの通信を転送する転送サーバ５において、専用のプログラミングを作成するなどの前記ポスター２１の変更に伴った煩わしい更新作業を省くことができる。
【００７７】
しかも、識別情報取得工程ＳＰ１０において、ＩＣタグ３０のタグＩＤは、携帯電話４０の端末側リーダライタ４３１によって読み取ることができるため、当該タグＩＤの取得を一段と簡単かつスピーディーに行うことができる。
【００７８】
かくして、ポスター２１の広告内容が変更されることに伴って、該変更されたポスター２１の広告内容に対応するウェブサイトＷ１へアクセスするための設定を更新する作業をより一段と簡易にすることが可能な情報提供管理方法ＲＴ３および情報提供管理システム１０を実現することができる。
【００７９】
以上、本発明の情報提供管理方法を実施するための形態について第２実施例を用いて説明したが、本発明はこうした実施例に何等限定されるものではなく、本発明の要旨を逸脱しない範囲内において種々の変形及び置換を加えることができる。
【００８０】
例えば、以下に説明する本発明に係る情報提供管理方法としてのアクセス設定変更処理ＲＴ４にも適用することができる。かかるアクセス設定変更処理ＲＴ４は、図９との対応部分に同一符号を付した図１０に示すように、第２実施例のアクセス設定変更処理ＲＴ３における中継局側コード変換工程ＳＰ１４に換えて携帯側コード変換工程ＳＰ１１ａが設けられている。この場合、かかる携帯側コード変換工程ＳＰ１１ａにおいて、携帯電話４０が撮影したＱＲコード８の画像（コード画像）を、当該携帯電話４０のアプリケーションプログラムを用いて前記変更されたポスター２１の広告内容に対応するウェブサイトＷ１のＵＲＬへ、携帯電話４０側で予め変換することにより、転送サーバ５側における処理を軽減させることができる利点を有している。
【００８１】
また、上述した第１および第２実施例においては、更新情報を携帯電話４、４０の転送サーバ５に対する通信（アクセス）によって行うようにした場合について述べたが、本発明はこれに限ることはなく、例えば、前記更新情報を携帯電話４、４０から電子メール形式で転送サーバ５へと送信するようにしても良い。
【００８２】
ところで、上述したように、ポスター２１に付与されたＱＲコード８を携帯電話４、４０で読み出すことにより、目的のウェブサイトＷ１、Ｗ２・・・Ｗｎへアクセスするサービスは広く実用化されている。この場合、ＱＲコード８を読み出すことにより、面倒なＵＲＬの手入力を省くことができる利点を有するが、ＱＲコード８の代わりにＲＦＩＤタグを使用することにより、情報の読み出しが更に簡便になることから、当該ＲＦＩＤタグを用いることも予想される。
【００８３】
そこで、本発明の他の実施例は、携帯電話４０に装備された端末側リーダライタ４３１によって、広告パネル２のポスター２１に貼付されたＲＦＩＤタグ（後述する交換側無線タグとしてのポスター用無線タグ８０）から情報（ウェブサイトのＵＲＬ等）を読み出すことにより、当該携帯電話４０に情報配信を受けることを前提とするものである。すなわち、ＱＲコード８を携帯電話４０で読み出すことにより、目的のウェブサイトＷ１、Ｗ２・・・Ｗｎへアクセスできるという既に実用化されているサービスのＱＲコードをＲＦＩＤタグに置き換えたものである。
【００８４】
かかるＲＦＩＤタグを用いた、本発明に係る情報提供管理方法としては、以下に説明する図７との対応部分に同一符号を付した図１１に示す情報提供管理システム１００における、図９との対応部分に同一符号を付した図１２に示すアクセス設定変更処理ＲＴ５に適用することができる。
【００８５】
この情報提供管理システム１００は、第２実施例の情報提供管理システム１０におけるポスター２１に設けられるＱＲコード８に換えて交換側無線タグ（ＲＦＩＤタグ）としてのポスター用無線タグ８０が設けられている点を除き、上述した第２実施例の情報提供管理システム１０とほぼ同様に構成されている。また、この場合のアクセス設定変更処理ＲＴ５は、第２実施例のアクセス設定変更処理ＲＴ３における携帯電話４０が、カメラ４４によってＱＲコード８を撮影する所在情報取得工程ＳＰ１１に換えて、携帯電話４０が、交換されたポスター２１に設けられるポスター用無線タグ８０にかざされることによって、交換されたポスター２１の広告内容に対応するウェブサイトＷ１のＵＲＬを取得する所在情報取得工程ＳＰ１１ｂが設けられ、中継局側コード変換工程ＳＰ１４が省かれている点を除き、上述した第２実施例のアクセス設定変更処理ＲＴ３とほぼ同様に構築されている。
【００８６】
この場合、中継局側コード変換工程ＳＰ１４を省略すると共に、かかる所在情報取得工程ＳＰ１１ｂにおいて、携帯電話４０が、交換されたポスター２１に設けられるポスター用無線タグ８０から、前記変更されたポスター２１の広告内容に対応するウェブサイトＷ１のＵＲＬを予め取得することにより、転送サーバ５側における処理を軽減させることができる利点を有している。
【００８７】
さらに、上述した第２実施例のアクセス設定変更処理ＲＴ３、他の実施例のアクセス設定変更処理ＲＴ４およびアクセス設定変更処理ＲＴ５では、識別情報取得工程ＳＰ１０において、携帯電話４０が、更新作業者に対して、ＩＣタグ３０のタグＩＤを携帯電話４０の端末側リーダライタ４３１によって読み取るように促すようにしたが、本発明はこれに限ることはない。例えば、ＩＣタグ３０の表面や近傍などにタグＩＤを予め記載しておき、更新作業者が該記載されたタグＩＤを目視して携帯電話４０に手動入力したり、該タグＩＤをカメラ４４によって撮影して携帯電話４０に入力したりするようにしても良い。
【００８８】
さらに、上述した第１、第２および他の実施例において、ポスター２１を格納する広告パネル２を、所定の法則によってグループ化し、これら広告パネル２に格納（掲示）されるポスター２１の広告内容が変更された場合、当該グループ化されたグループ単位で、転送サーバ５のメモリ５１に格納されたリーダＩＤやタグＩＤに対応するウェブサイトＷ１のＵＲＬを更新するようにしても良い。この場合、前記所定の法則とは、広告パネル２の設置されるエリアであっても良く、広告パネル２に格納（掲示）されるポスター２１のコンテンツであっても良い。
【産業上の利用可能性】
【００８９】
本発明は、とりわけ、企業等の広告などにおける情報提供管理技術に利用可能である。
【符号の説明】
【００９０】
１、１０、１００…情報提供管理システム
２…広告パネル（格納装置）
２１…ポスター（情報伝達媒体）
３…リーダライタ（非接触無線タグ読取装置）
３０…ＩＣタグ（固定側無線タグ）
４、４０…携帯電話（携帯情報端末）
４３…非接触無線タグ（非接触情報記憶媒体）
４３１…端末側リーダライタ（端末側非接触無線タグ読取装置）
４４…カメラ（撮影手段）
５…転送サーバ（中継局）
５１…メモリ（記憶手段）
６…移動通信網
７…ネットワーク
８…ＱＲコード（２次元コード）
８０…ポスター用無線タグ（交換側無線タグ）
Ｗ１、Ｗ２、Ｗｎ…ウェブサイト
【図１】
0005534833.tif 000002
【図２】
0005534833.tif 000003
【図３】
0005534833.tif 000004
【図４】
0005534833.tif 000005
【図５】
0005534833.tif 000006
【図６】
0005534833.tif 000007
【図７】
0005534833.tif 000008
【図８】
0005534833.tif 000009
【図９】
0005534833.tif 000010
【図１０】
0005534833.tif 000011
【図１１】
0005534833.tif 000012
【図１２】
0005534833.tif 000013